(57)【要約】【課題】少なくとも洗車操作に不慣れな初心者に対して、洗車操作の内容を音声ガイドにより十分に理解し得る洗車機を提供する。【解決手段】洗車機本体と、洗車開始などの操作指示を行う操作装置と、洗車操作の音声ガイドを発生させるスピーカと、洗車制御部および音声制御部を有する制御装置とを具備する洗車機であって、操作装置の操作パネルに、洗車操作用のボタン群24の他に、初心者であることを認識させる初心者ボタン27を設け、音声制御部に、音声データを記憶するガイドデータ記憶部31と、この記憶部に記憶された音声データをガイドデータ読出部32を介して読み出された音声データを通常速度および低速度のいずれかの速度でもってスピーカに送り再生させるガイドデータ再生部33と、初心者ボタンからの初心者認識信号を入力した際に再生部で再生させる速度を低速度に切り替えるための再生速度切替部34とを設けたもの。【選択図】図６
2009090697.tif 000002
【特許請求の範囲】
【請求項１】
車両に対して相対移動自在にされて当該車両の洗浄および乾燥を行うように構成された洗車機本体と、洗車コースの選択・洗車開始などの操作指示を行うための操作装置と、洗車時に必要な音声ガイドを発生させる音声発生手段と、上記操作装置からの操作指示に基づき洗車機本体を制御する洗車制御部および上記音声発生手段を制御する音声制御部を有する制御装置とを具備する洗車機であって、
上記操作装置の操作パネルに、洗車コースの選択ボタン・洗車開始ボタンなどの操作手段の他に、初心者であることを認識させる初心者認識手段を設け、
上記制御装置の音声制御部に、音声ガイドデータを記憶するガイドデータ記憶部と、このガイドデータ記憶部に記憶された音声ガイドデータを読み出し当該読み出された音声ガイドデータを所定速度および当該所定速度よりも遅い低速度のいずれかの速度でもって上記音声発生手段に送り再生させ得るガイドデータ再生部と、上記初心者認識手段からの初心者認識信号を入力した際に上記ガイドデータ再生部で再生させる速度を低速度に切り替えるための再生速度切替部とを設けたことを特徴とする洗車機。
【請求項２】
車両に対して相対移動自在にされて当該車両の洗浄および乾燥を行うように構成された洗車機本体と、洗車コースの選択・洗車開始などの操作指示を行うための操作装置と、洗車時に必要な音声ガイドを発生させる音声発生手段と、上記操作装置からの操作指示に基づき洗車機本体を制御する洗車制御部および上記音声発生手段を制御する音声制御部を有する制御装置とを具備する洗車機であって、
上記操作装置の操作パネルに、洗車コースの選択ボタン・洗車開始ボタンなどの操作手段の他に、初心者であることを認識させる初心者認識手段を設け、
上記制御装置の音声制御部に、洗車操作に慣れている経験者用音声ガイドデータおよび洗車操作に慣れていない初心者用音声ガイドデータを記憶するガイドデータ記憶部と、このガイドデータ記憶部に記憶された音声ガイドデータを読み出し上記音声発生手段に送り再生させ得るガイドデータ再生部と、上記初心者認識手段からの初心者認識信号を入力した際に初心者用音声ガイドデータを選択する選択信号を上記ガイドデータ再生部に出力するガイドデータ選択部とを設けたことを特徴とする洗車機。
【発明の詳細な説明】
【技術分野】
【０００１】
本発明は、洗車機に関し、特に、洗車の操作ガイドを音声にて行うようにした洗車機に関するものである。
【背景技術】
【０００２】
洗車機の中には、セルフ形式のものがあり、この場合、運転者みずからが、洗車に際して必要な操作を行うことになる。このため、このような洗車機においては、洗車時の操作手順を音声にて知らせる音声ガイド機能が具備されている。
【０００３】
通常、音声ガイドについては、一定の速度および一定の音量にてアナウンスされており、操作内容の中には正確に伝わらないものがあった。
このため、操作内容に応じて、つまり、操作が重要なものについては、音量を大きくしたり、または２回アナウンスするように設定し得るようにしたものがある（例えば、特許文献１参照）。
【特許文献１】特開２００１−２０６２０４号公報
【発明の開示】
【発明が解決しようとする課題】
【０００４】
しかし、音量を大きくしたり、または２回アナウンスするようにした場合、洗車操作に慣れている経験者にとっては煩わしく思うことがあり、また洗車操作に不慣れな初心者にとっては音量を大きくしただけでは操作内容を理解できないことがあり、さらにアナウンスの速度について行くことができず聞き取れないこともあった。
【０００５】
そこで、本発明は、少なくとも洗車操作に不慣れな初心者に対して、洗車操作の内容を音声ガイドにより十分に理解し得る洗車機を提供することを目的とする。
【課題を解決するための手段】
【０００６】
上記課題を解決するため、本発明の請求項１に係る洗車機は、車両に対して相対移動自在にされて当該車両の洗浄および乾燥を行うように構成された洗車機本体と、洗車コースの選択・洗車開始などの操作指示を行うための操作装置と、洗車時に必要な音声ガイドを発生させる音声発生手段と、上記操作装置からの操作指示に基づき洗車機本体を制御する洗車制御部および上記音声発生手段を制御する音声制御部を有する制御装置とを具備する洗車機であって、
上記操作装置の操作パネルに、洗車コースの選択ボタン・洗車開始ボタンなどの操作手段の他に、初心者であることを認識させる初心者認識手段を設け、
上記制御装置の音声制御部に、音声ガイドデータを記憶するガイドデータ記憶部と、このガイドデータ記憶部に記憶された音声ガイドデータを読み出し当該読み出された音声ガイドデータを所定速度および当該所定速度よりも遅い低速度のいずれかの速度でもって上記音声発生手段に送り再生させ得るガイドデータ再生部と、上記初心者認識手段からの初心者認識信号を入力した際に上記ガイドデータ再生部で再生させる速度を低速度に切り替えるための再生速度切替部とを設けたものである。
【０００７】
また、請求項２に係る洗車機は、車両に対して相対移動自在にされて当該車両の洗浄および乾燥を行うように構成された洗車機本体と、洗車コースの選択・洗車開始などの操作指示を行うための操作装置と、洗車時に必要な音声ガイドを発生させる音声発生手段と、上記操作装置からの操作指示に基づき洗車機本体を制御する洗車制御部および上記音声発生手段を制御する音声制御部を有する制御装置とを具備する洗車機であって、
上記操作装置の操作パネルに、洗車コースの選択ボタン・洗車開始ボタンなどの操作手段の他に、初心者であることを認識させる初心者認識手段を設け、
上記制御装置の音声制御部に、洗車操作に慣れている経験者用音声ガイドデータおよび洗車操作に慣れていない初心者用音声ガイドデータを記憶するガイドデータ記憶部と、このガイドデータ記憶部に記憶された音声ガイドデータを読み出し上記音声発生手段に送り再生させ得るガイドデータ再生部と、上記初心者認識手段からの初心者認識信号を入力した際に初心者用音声ガイドデータを選択する選択信号を上記ガイドデータ再生部に出力するガイドデータ選択部とを設けたものである。
【発明の効果】
【０００８】
上記各洗車機の構成によると、初心者認識手段にて初心者であることを認識させることにより、少なくとも運転者が洗車操作に不慣れな初心者の場合、音声ガイドが低速でアナウンスされるため、または詳しい音声ガイドがアナウンスされるため、音声ガイドを確実に聞き取り理解することができる。
【発明を実施するための最良の形態】
【０００９】
［実施の形態］
以下、本発明の実施の形態に係る洗車機を図１〜図６に基づき説明する。
本実施の形態に係る洗車機は、図１および図２に示すように、床面上に所定方向で敷設された左右一対の走行用レール１と、これら両走行用レール１の間に配置されて洗車対象である車両Ｃを載置し前後方向で移動させ得るコンベヤ装置２と、上記両走行用レール１上を案内されて前後方向Ａで往復移動自在にされた洗車機本体３と、走行用レール１の一端側（車両待機位置でもある）に設置された操作装置４と、この操作装置４にて入力される操作指示（操作指令ともいう）に基づき洗車機本体３を制御する制御装置（後述する）とから構成されている。
【００１０】
上記洗車機本体３のフレーム６は、車両Ｃを跨ぐように、水平部６ａと左右の脚柱部６ｂとからなる門型形状にされている。そして、これら水平部６ａおよび脚柱部６ｂには、図示しないが、車両Ｃを洗浄するトップブラシやサイドブラシ、空気を吹き付けて車両を乾燥するトップノズルやサイドノズルなどが設けられている。また、脚柱部６ｂ下端には走行用車輪７が設けられるとともに、洗車機本体３には、基準位置［ホームポジション（ＨＰ）、走行始端位置ともいう］と折返し位置［エンドポジション（ＥＰ）、走行終端位置ともいう］との間で往復移動させる走行駆動装置（図示せず）が設けられている。
【００１１】
上記コンベヤ装置２は、床面上に走行用レール１に沿ってその内側に配置された左右一対の駆動式のローラコンベヤ８により構成され、当然に、両ローラコンベヤ８の左右方向の配置間隔は車両Ｃの左右の車輪の間隔に一致されている。なお、各ローラコンベヤ８の幅は車輪の幅より少し広く（余裕があるように）されている。
【００１２】
ところで、この洗車機には、洗車を自動的に行うために、車両の位置、車両の高さ、形状などを検出するための各種センサが具備されるとともに、車両Ｃを案内するための表示器などが具備されており、勿論、これら各センサからの検出信号が上記制御装置に入力され、またこの制御装置から所定位置に配置された表示器などに所定の案内表示用信号が出力される。
【００１３】
例えば、上記コンベヤ装置２には、車両Ｃの車輪がローラコンベヤ８の所定の車両停止位置に移動した（載った）ことを検出する車両検出スイッチ（図示せず）が設けられ、また洗車機本体３の前側中央部上方位置には、車両Ｃの車高を検出する超音波センサからなる車高検出センサ１１が設けられている。
【００１４】
また、洗車機本体３の内部上方位置に、車両Ｃに対して音声ガイド（音声案内）を発生（以下、アナウンスという）させる音声発生手段としてのスピーカ１２が設けられている。
【００１５】
また、洗車機本体３の後方には、車両Ｃの運転席から視認可能な位置に、退場誘導灯１３が設けられ、また洗車機本体３の後方の退場する車両Ｃの通路には、車両Ｃの通過を検出する一対の光電スイッチからなる車両退場検出スイッチ１４が設けられている。
【００１６】
また、ローラコンベヤ８の前端部外方には、車両Ｃの進入を阻止する遮断器１５が設けられ、さらに遮断器１５の前側上方に、当該遮断器１５の前の進入通路Ｓへの車両Ｃの進入を検出する超音波センサからなる車両検出センサ１６が設けられ、そして進入通路Ｓに面してその側方には、上述した操作装置４が設けられている。
【００１７】
上記操作装置４は、図３および図４に示すように、床面に立設された支柱材２１と、この支柱材２１の上端に設けられた操作箱２２とにより構成されている。この操作箱２２の表面は進入径路Ｓに対向されており、またこの操作箱２２には、洗車コース選択ボタン（Ｃ１〜Ｃ８）、洗車開始ボタン、操作の取消ボタン、洗車条件を設定するための設定ボタン（図示せず）などの操作ボタン群（操作手段の一例）２４が配置された操作パネル２３、および硬貨投入孔を備えた料金ボックス２５、会員カード挿入口を備えたカード識別器２６などが設けられている。
【００１８】
さらに、上記操作パネル２３には、上記操作ボタン群２４に加えて、初心者であることを認識するための初心者ボタン（初心者認識手段の一例で、スイッチでもよく、またボタン、スイッチなどに限定されるものでもない）２７が設けられている。なお、支柱材２１には、運転者に音声ガイドをアナウンスするスピーカ（音声発生手段の一例）２８が設けられている。
【００１９】
ここで、上記制御装置の構成について簡単に説明しておく。
この制御装置は、例えば洗車開始ボタンが押されると、運転者に所定の操作、例えば車両の前進・停止などを行わせるために、音声ガイドをアナウンスするとともに、洗車機本体３を自動的に作動して洗車動作を行わせる機能を有し、さらに初心者ボタン２７が押されると、運転者が初心者であると認識して、丁寧に、アナウンスする機能を有している。
【００２０】
すなわち、図５に示すように、この制御装置５には、大きく分けて、操作装置４からの操作指示に基づき洗車機本体３を制御する洗車制御部５ａおよび上記各スピーカ１２，２８から音声ガイドをアナウンスさせるための音声制御部５ｂとが具備されている。
【００２１】
なお、制御装置５は、上述した他に、種々の制御も行うもので、各検出スイッチなどからの検出信号を入力して、運転者に所定の操作を行わせるとともに各種の注意を促すようにされている。
【００２２】
上記音声制御部５ｂにより、アナウンスされる音声ガイドデータとしては、下記に示す［表１］に示すようなものがある。
【００２３】
【表１】
2009090697.tif 000003
そして、初心者ボタン２７が押されると、各アナウンスが丁寧に行われる。例えば、アナウンスの速度（話す速度）が遅くされる（ゆっくりとなる）。
【００２４】
すなわち、音声制御部５ｂは、図６に示すように、各音声ガイドデータを記憶するガイドデータ記憶部３１と、このガイドデータ記憶部３１から操作指示に応じた音声ガイドデータを読み出すガイドデータ読出部３２と、このガイドデータ読出部３２にて読み出された音声ガイドデータを入力するとともにその再生速度（アナウンス速度）を通常速度（所定速度の一例）と低速度とのいずれかで再生し得るガイドデータ再生部３３と、初心者ボタン２７からの初心者認識信号を入力して上記ガイドデータ再生部３３にその再生速度を低速度に切り替えるための切替信号を出力する再生速度切替部３４とから構成されている。上記通常速度は、洗車操作が慣れている経験者用であるのに対し、低速度は、洗車操作が慣れていない初心者用である。例えば、低速度は通常速度の７０〜９０％程度にされている。
【００２５】
上記構成において初心者が洗車を行う場合、運転者は自分の車両Ｃを洗車待機位置に移動させ、まず、操作パネル２３に設けられた初心者ボタン２７を押す（少なくとも、洗車開始ボタンよりも先に初心者ボタン２７を押す）。初心者ボタン２７が押されると、音声制御部５ｂにより、音声ガイドデータの再生速度が低速側に切り替えられるため、これ以降の音声ガイドがゆっくりとアナウンスされる。
【００２６】
すなわち、［表１］に記載された内容がゆっくりアナウンスされるので、初心者であっても、音声ガイドの内容を確実に聞き取り、操作内容を理解することができ、したがって操作ミスの発生を防止し得るとともに、操作に対する不安の解消を図ることができる。
【００２７】
一方、経験者である場合には、運転者は、初心者ボタン２７を押すことなく、洗車の開始操作を行えば、通常速度でもって、スピーカ１２，２８から音声ガイドがアナウンスされる。すなわち、初心者ボタン２７を押さない限り、初心者用の機能が働くことがないので、経験者に対しては煩わしさは生じない。
【００２８】
ところで、上記実施の形態においては、初心者ボタンが押された場合、音声ガイドが低速度でアナウンスされるように説明したが、初心者ボタンが押された場合、操作内容を詳しく説明した音声データをアナウンスするようにしてもよい。
【００２９】
すなわち、図７に示すように、この場合における音声制御部５ｂには、洗車操作に慣れている経験者用音声ガイドデータおよび洗車操作に慣れていない初心者用音声ガイドデータを記憶するガイドデータ記憶部４１と、このガイドデータ記憶部４１に記憶された音声ガイドデータを読み出しスピーカ１２，２８に送り再生させ得るガイドデータ再生部４２と、初心者ボタン２７からの初心者認識信号を入力した際にガイドデータ記憶部４１から読み出すデータとして初心者用音声ガイドデータを選択する選択信号をガイドデータ再生部４２に出力するガイドデータ選択部４３とが具備されている。
【００３０】
上記構成において、初心者ボタン２７が押されるとガイドデータ選択部４３にてそのことが認識されるとともに初心者用音声ガイドデータを選択する信号がガイドデータ再生部４２に出力される。このため、ガイドデータ再生部４２にて再生される音声ガイドデータは初心者用のものとなり、したがって運転者には、詳しい操作内容の音声ガイドがアナウンスされることになる。勿論、この場合も、音声ガイドの内容を確実に理解することができ、したがって操作ミスの発生を防止し得るとともに、操作に対する不安の解消を図ることができる。
【００３１】
さらに、上記実施の形態においては、洗車機本体および車両の両方を移動させ得る構成として説明したが、例えばいずれか一方だけを移動させるものであってもよい。
【図面の簡単な説明】
【００３２】
【図１】本発明の実施の形態に係る洗車機の概略全体構成を示す側面図である。
【図２】同洗車機の概略全体構成を示す平面図である。
【図３】同洗車機における操作装置の概略構成を示す正面図である。
【図４】同操作装置における操作パネルの正面図である。
【図５】同洗車機における制御装置の概略構成を示すブロック図である。
【図６】同洗車機における音声制御部の概略構成を示すブロック図である。
【図７】同洗車機における音声制御部の変形例の概略構成を示すブロック図である。
【符号の説明】
【００３３】
３      洗車機本体
４      操作装置
５      制御装置
５ａ    洗車制御部
５ｂ    音声制御部
１２      スピーカ
２１      支柱体
２２      操作箱
２３      操作パネル
２４      操作ボタン群
２７      初心者ボタン
２８      スピーカ
３１      ガイドデータ記憶部
３２      ガイドデータ読出部
３３      ガイドデータ再生部
３４      再生速度切替部
４１      ガイドデータ記憶部
４２      ガイドデータ再生部
４３      ガイドデータ選択部
【図１】
2009090697.tif 000004
【図２】
2009090697.tif 000005
【図３】
2009090697.tif 000006
【図４】
2009090697.tif 000007
【図５】
2009090697.tif 000008
【図６】
2009090697.tif 000009
【図７】
2009090697.tif 000010